(57)【要約】【課題】  より省スペースで、より省スペースで、接続信頼性の確保が可能な半導体装置の実装構造を目的とする。【解決手段】  基材５上の一部に形成されている配線層７と、前記配線層７の複数のパッド部を囲むように前記絶縁層６と前記配線層７上に形成されているレジスト層８とを有する配線基板２と、配線基板２の前記複数のパッド部の一方に設けられている第１の接合材９と、第１の電極３ａと前記第１の電極３ａの対向面側に第２の電極３ｂを有し、前記第１の接合材９と前記第１の電極３ｂとが接するように設けられている半導体装置３と、前記複数のパッド部の他方に電気的に接続して設けられている第２の接合材１０と、前記半導体装置３の前記第２の電極３ｂ上に設けられている第３の接合材１１とに接するように設けられ、応力分散部が形成されている接続部材４とを有することを特徴としている。【選択図】  図１
2012212713.tif 000002
【特許請求の範囲】
【請求項１】
基材上の一部に形成されている配線層と、前記配線層の複数のパッド部を囲むように前記絶縁層と前記配線層上に形成されているレジスト層とを有する配線基板と、
前記配線基板の前記複数のパッド部の一方に設けられている第１の接合材と、
第１の電極と前記第１の電極の対向面側に第２の電極を有し、前記第１の接合材と前記第１の電極とが接するように設けられている半導体装置と、
前記複数のパッド部の他方に電気的に接続して設けられている第２の接合材と、前記半導体装置の前記第２の電極上に設けられている第３の接合材とに接するように設けられ、応力分散部が形成されている接続部材と、
を有することを特徴とする半導体装置の実装構造。
【請求項２】
前記接続部材は、前記第２の接合材と接する第１の接合部材と、
前記第３の接合材と接する第２の接合部材と、
前記第１の接合部材と前記第２の接合部材と一定の間隔を設けて形成される第１の部材と、
前記第１の部材を支持し、前記第１の接合部材と接続している第２の部材と、
前記第１の部材を支持し、前記第２の接合部材と接続している第３の部材と、
を有し、
前記応力分散部は前記第１の部材、前記第２の部材、前記第３の部材のうち少なくとも１つ以上であることを特徴とする請求項１記載の半導体装置の実装構造。
【請求項３】
前記第１の部材、前記第２の部材、前記第３の部材のうち少なくとも１つ以上の厚みは、前記第１の接合部材と前記第２の接合部材の少なくとも一方の厚みより薄く形成されていることを特徴とする請求項２に記載の半導体装置の実装構造。
【請求項４】
前記第１の部材、前記第２の部材、前記第３の部材のうち少なくとも１つ以上の幅は、前記第１の接合部材と前記第２の接合部材の少なくとも一方の幅より広く形成されていることを特徴とする請求項３に記載の半導体装置の実装構造。
【請求項５】
前記第１の部材には、曲部が形成されていることを特徴とする請求項２に記載の半導体装置の実装構造。
【請求項６】
前記基材と前記接合部材は、同じ材質又は熱膨張係数が近似していることを特徴とする請求項１乃至請求項５に記載の半導体装置の実装構造。
【発明の詳細な説明】
【技術分野】
【０００１】
本発明の実施形態は、半導体装置の実装構造に関する。
【背景技術】
【０００２】
従来、半導体装置を配線基板上に実装する場合、半導体装置を含む半導体パッケージを配線基板上に実装してきた。
【０００３】
より具体的に説明すると、半導体パッケージは、半導体装置が複数のリードフレームのうちの１つに設けられ、他のリードフレームとワイヤボンディング等の接続部材により電気的に接続している。そして、樹脂によりリードフレームのリード端子を露出するように樹脂封止して形成されている。
【０００４】
また、半導体パッケージを配線基板上に実装する際には、露出しているリード端子を配線基板の金属パッドに位置合わせして半田等により接続させて実装を行ってきた。
【先行技術文献】
【特許文献】
【０００５】
【特許文献１】特開２００６−４０９２８号
【発明の概要】
【発明が解決しようとする課題】
【０００６】
しかし、従来の半導体装置の実装構造では、半導体装置を有する半導体パッケージのリードフレームの厚みや、接続部材まで覆うように封止している樹脂の厚みにより、半導体パッケージが大型化してしまっていた。また、従来の半導体パッケージへと電流を流した際、配線基板や半導体パッケージのリードフレームが熱膨張することで、配線基板と半導体パッケージのリードフレームとの接合部へと応力がかかり、接合部が破断することがあった。そのため、接続信頼性が十分に確保できなかった。
【０００７】
そこで本発明では、より省スペースで、接続信頼性の確保が可能な半導体装置の実装構造の提供を目的とする。
【課題を解決するための手段】
【０００８】
上記目的を達成するために、実施形態の半導体装置の実装構造は、基材上の一部に形成されている配線層と、配線層の複数のパッド部を囲むように絶縁層と配線層上に形成されているレジスト層とを有する配線基板と、配線基板の複数のパッド部の一方に設けられている第１の接合材と、第１の電極と第１の電極の対向面側に第２の電極を有し、第１の接合材と第１の電極とが接するように設けられている半導体装置と、複数のパッド部の他方に電気的に接続して設けられている第２の接合材と、半導体装置の第２の電極上に設けられている第３の接合材とに接するように設けられ、応力分散部が形成されている接続部材とを有することを特徴としている。
【図面の簡単な説明】
【０００９】
【図１】本発明の第１実施形態に係る半導体装置の実装構造を示す図で、（ａ）は上面図、（ｂ）は配線基板の上面図、（ｃ）は（ａ）のＡ−Ａ線に沿う断面図。
【図２】本発明の第１実施形態の応用例に係る半導体装置の実装構造を示す図で、（ａ）は上面図、（ｂ）は配線基板の上面図、（ｃ）は（ａ）のＢ−Ｂ線に沿う断面図。
【図３】本発明の第１実施形態に係る接続部材を示す図で、（ａ）は上面図、（ｂ）は（ａ）のＡ´−Ａ´線に沿う断面図。
【図４】本発明の第２実施形態に係る半導体装置の実装構造を示す図で、（ａ）は上面図、（ｂ）は配線基板の上面図、（ｃ）は（ａ）のＣ−Ｃ線に沿う断面図。
【図５】本発明の第２実施形態に係る接続部材を示す図で、（ａ）は上面図、（ｂ）は（ａ）のＣ´−Ｃ´線に沿う断面図。
【図６】本発明の第２実施形態に係る接続部材の応用例を示す図で、（ａ）は上面図、（ｂ）は（ａ）のＤ−Ｄ線に沿う断面図。
【発明を実施するための形態】
【００１０】
以下、本発明の実施形態に係るより省スペースで、接続信頼性の確保が可能な接続部材、半導体装置の実装構造を、図面を参照して詳細に説明する。
【００１１】
（第１実施形態）
まず、本発明の第１実施形態に係る半導体装置の実装構造について、図１乃至図３を参照して説明する。図１（ａ），（ｂ），（ｃ）に示すように、半導体装置の実装構造１は、配線基板２と、半導体装置３と、接続部材４とから構成されている。
【００１２】
配線基板２は、基材５と絶縁層６、配線層７、レジスト層８とから構成されている。また、基材５の材質としては、本実施形態ではＣｕから形成されている。これは、半導体装置３に大電流を流した際に発生する熱を効率よく放熱させるために設けている。なお、本実施形態では基材５の材質はＣｕであるが、これに限られることはなく、例えばＡｌ等の放熱性の高い金属や、ＡｌＮやＳｉ３Ｎ４等の放熱性の高いセラミックから形成されていれば良い。また、セラミックから形成されている場合、絶縁性が確保出来るため、絶縁層６が不要となる。
【００１３】
絶縁層６は、基材５を覆うように設けられており、基材５と後述する配線層７との導通を防ぐために設けられている。また、配線層７の材質としては、絶縁性の樹脂、あるいは絶縁性の樹脂内に、例えばＳｉＯ２やＡｌ２Ｏ３等の放熱性の高い絶縁性粒子を含むものから形成されている。
【００１４】
配線層７は、絶縁層６上の所定の位置に設けられており、配線層７の端部には、半導体装置３及び接続部材４と接続するための第１，第２のパッド部Ｐ１，Ｐ２が形成されている。また、配線層７の第１のパッド部Ｐ１の面積は、半導体装置３の面積と同等又は大きい面積に形成されており、第２のパッド部Ｐ２の面積は、後述する接続部材４の第１の接合部材４ａの面積と同等又は大きい面積となるように形成されている。
【００１５】
配線層７の材質としては、本実施形態ではＣｕから形成されているが、これに限られることはなく、導電性の金属であればよい。
【００１６】
レジスト層８は、配線層７の第１，第２のパッド部Ｐ１，Ｐ２から一定の間隔を設けて囲むように、絶縁層６と配線層７上に形成されている。そのため、第１，第２のパッド部Ｐ１，Ｐ２と接続する配線層７の一部が露出する。また、レジスト層８の材質としては、絶縁性の樹脂から形成されている。なお、本実施形態では第１，第２のパッド部Ｐ１，Ｐ２から一定の間隔を設けて囲むようにレジスト層８が形成されているが、これに限られることはなく、例えば図２（ａ），（ｂ），（ｃ）に示すように、間隔を設けずに第１，第２のパッド部Ｐ１，Ｐ２を囲むように設けても良く、また、配線層７の一部を覆うように形成されていてもよい。
【００１７】
半導体装置３は、一方の面に第１の電極３ａが形成され、他方の面に第２の電極３ｂが形成されており、お互いが対向するように設けられている。また、半導体装置３は、半導体装置３の第１の電極３ａと、配線層７の第１のパッド部Ｐ１とを第１の接合材９を介して接続するように設けている。接続の為に用いている第１の接合材９の材質としては、本実施形態では半田を使用しているが、これに限られることはなく、導電性の金属であればよい。
【００１８】
このように、配線基板２の第１のパッド部Ｐ１上に第１の接合材９を介して半導体装置３を設けることにより、従来の半導体パッケージのリードフレームの厚みや、接続部材まで覆うように封止している樹脂の厚みの分だけ薄くすることが可能となる。また、リードフレームのリード端子の長さを配慮して実装面積を確保する必要がないため、より省スペースに半導体装置３を実装することが可能となる。
【００１９】
更に、配線基板２と半導体装置３を第１の接合材９を介して設けていることにより、大電流を流した際に半導体装置３から発生する熱を、効率よく配線基板２へと放熱することが可能となる。その結果、半導体装置３の寿命を伸ばす事ができる。
【００２０】
接続部材４は、板状のＣｕから形成されており、第２の接合材１０と接する第１の接合部材４ａと、第３の接合材１１と接する第２の接合部材４ｂと、第１の接合部材４ａと第２の接合部材４ｂと一定の間隔を設けて形成され、応力分散部である第１の部材４ｃと、第１の部材４ｃを支持し、第１の接合部材４ａと接続している第２の部材４ｄと、第１の部材４ｃを支持し、第２の接合部材４ｂと接続している第３の部材４ｅとから構成されている。
【００２１】
なお、本実施形態では接合部材４はＣｕから形成されているが、これに限られることはなく、導電性金属のもの、望ましくは配線基板２の基材５の材質と同じ材質又は近似する熱膨張係数のものを用いても良い。これにより、熱膨張により発生する応力を同程度とすることができるため、熱膨張率の差による応力の発生の抑制することが可能となる。
【００２２】
より詳しく説明すると、図１（ａ），図３（ａ）に示すように、接続部材４の第１の接合部材４ａの幅Ｗ１と第２の接合部材４ｂの幅Ｗ２は、ほぼ同じ幅となるように形成されており、半導体装置３の第２の電極３ｂや第２のパッド部Ｐ２に対して同じ幅、もしくは少し狭くなるように形成されている。なお、本実施形態では第１，第２の接合部材４ａ，４ｂの幅Ｗ１，Ｗ２がほぼ同じ幅となるように形成されているが、これに限られることはなく、異なる幅となるように形成されていてもよい。その際、第１，第２の接合部４ａ，４ｂのＹ方向の断面積をそれぞれＳＡ，ＳＢとし、例えばＳＡ≦ＳＢであった場合、ＳＡが仕様電流を流せる最小の面積以上となるように形成されていればよい。
【００２３】
また、接続部材４の応力分散部である第１の部材４ｃは、第１，第２の接合部材４ａ，４ｂの幅Ｗ１，Ｗ２より第１の部材４ｃの幅Ｗ３の方が広くなるように形成されている。そして、図３（ｂ）に示すように、第１の部材４ｃの厚みＴ１は、第１，第２の接合部材４ａ、４ｂの厚みＴ２，Ｔ３より薄くなるように形成されている。また、第１の部材４ｃの厚みＴ１と幅Ｗ３は、第１，第２の接合部材４ａ，４ｂのＹ方向の断面積と同じ断面積となるように形成されている。なお、本実施形態の第１の部材４ｃのＹ方向の断面積が第１，第２の接合部材４ａ，４ｂと同じとなるように形成されているが、これに限られることはなく、第１，第２の接合材４ａ，４ｂの断面積よりも大きくなるように形成されていてもよい。すなわち、第１，第２の接合部４ａ，４ｂのＹ方向の断面積をそれぞれＳＡ，ＳＢとし、第１の部材４ｃのＹ方向の断面積をＳＣとし、例えばＳＡ≦ＳＢであった場合、ＳＣはＳＡ≦ＳＣとなるように形成されていてもよい。
【００２４】
第２，第３の部材４ｄ，４ｅの長さＬ１，Ｌ２は、第１の部材４ｃが配線基板２に対して略平行となるように形成されており、本実施形態では第２の部材４ｄの長さＬ１の方が第３の部材４ｅの長さよりも長くなるように形成されている。なお、本実施形態では第２，第３の部材４ｄ，４ｅの長さＬ１，Ｌ２が異なる長さとなるように形成されているが、これに限られることはなく、例えば第２，第３の部材４ｄ，４ｅの長さＬ１，Ｌ２がほぼ同じ長さとなるように形成されていてもよく、また、第１の部材４ｃが配線基板２に対して平行とならないような長さにしてもよい。
【００２５】
また、第２，第３の部材４ｄ，４ｅは、第１，第２の接合部材４ａ，４ｂと第１の部材４ｃとに連続して接続するために、第１，第２の接合部材４ａ，４ｂの幅Ｗ１，Ｗ２から第１の部材４ｃの幅Ｗ３へと向かうに従って広くなるように形成されている。そして、第１，第２の接合部材４ａ，４ｂの厚みＴ２，Ｔ３から第１の部材４ｃの厚みＴ１へと向かうに従って薄くなるように形成されている。
【００２６】
すなわち、第１，第２の接続部材４ａ，４ｂのＹ方向の断面積と同じ断面積となるように形成されている。なお、本実施形態の第２，第３の部材４ｄ，４ｅのＹ方向の断面積が第１，第２の接合部材４ａ，４ｂと同じとなるように形成されているが、これに限られることはなく、第１，第２の接合材４ａ，４ｂの断面積よりも大きくなるように形成されていてもよい。
【００２７】
この様に、第１，第２，第３の部材４ｃ，４ｄ，４ｅを第１，第２の接合部材４ａ，４ｂの厚みＴ２，Ｔ３より薄くなるように形成することにより、配線基板２や接続部材４が熱膨張することで応力を発生させても、第１の部材４ｃへと応力が働きやすくなり、撓む事が可能となるので、応力を分散することができる。そのため、第１，第２の接合部材４ａ，４ｂと第２，第３の接合材１０，１１の破断を抑制することができる。
【００２８】
また、第１の部材４ｃの幅Ｗ３を第１，第２の接続部材４ａ，４ｂの幅Ｗ１，Ｗ２より広くすることで、熱を放熱しやすくなる。そのため、熱による膨張を抑制することができ、熱膨張により発生する応力を小さくすることができる。その結果、第１，第２の接合部材４ａ，４ｂと第２，第３の接合材１０，１１の破断を抑制することができる。
【００２９】
以上、第１実施形態の半導体装置の実装構造１によれば、配線基板２の第１のパッド部Ｐ１上に第１の接合材９を介して半導体装置３を設けている。そして、接続部材４の応力分散部である第１の部材４ｃの厚みＴ１を、第１，第２の接合部材４ａ，４ｂの厚みＴ２，Ｔ３よりも薄くなるように形成している。また、第１の部材４ｃの幅Ｗ３を第１，第２の接合部材４ａ，４ｂの幅Ｗ１，Ｗ２よりも広くなるように形成している。
【００３０】
これにより、小型化して実装することが可能となり、また応力を分散させて破断を抑制することが可能となる。そのため、より省スペースで接続信頼性の確保が可能な半導体装置の実装をすることができる。また、半導体装置３が発生する熱を接続部材４から放熱することが出来るため、熱膨張により発生する応力を小さくすることが可能となる。
【００３１】
更に、第１実施形態の半導体装置の実装構造１によれば、接続部材４の第１，第２，第３の部材４ｃ，４ｄ，４ｅのＹ方向の断面積を第１，第２の接合部材４ａ，４ｂの断面積以上に形成している。これにより、電流が流れることによる接続部材４の断線を防止する。
【００３２】
（第２実施形態）
次に、本発明の第２実施形態に係る半導体装置の実装構造について、図４乃至図６を参照して説明する。本実施形態の半導体装置の実装構造２０は、接続部材２１の応力分散部である第１の部材２１ｃがＳ字クランク形状である点で第１実施形態と異なり、その他の構成部分については、同様の構成を有している。従って、図４乃至図６では、接続部材２１を示し、以下の説明においては、第１実施形態と同様の構成部分については、詳細説明を省略して異なる構成部分についてのみ説明する。
【００３３】
図４（ａ），（ｂ），（ｃ）に示すように、接続部材２１は、Ｃｕから形成されており、第２の接合材１０と接する第１の接合部材２１ａと、第３の接合材１１と接する第２の接合部材２１ｂと、第１の接合部材２１ａと第２の接合部材２１ｂと一定の間隔を設けて形成され、応力分散部である第１の部材２１ｃと、第１の部材２１ｃを支持し、第１の接合部材２１ａと接続している第２の部材２１ｄと、第１の部材２１ｃを支持し、第２の接合部材２１ｂと接続している第３の部材２１ｅとから構成されている。
【００３４】
なお、本実施形態では接合部材４はＣｕから形成されているが、これに限られることはなく、導電性金属のもの、望ましくは配線基板２の基材５の材質と同じ材質又はほぼ同じ熱膨張係数のものを用いても良い。
【００３５】
接合部材２１についてより詳しく説明すると、図５（ａ）に示すように接続部材２１の第１の接合部材２１ａの幅Ｗ４と第２の接合部材４ｂの幅Ｗ５は、ほぼ同じ幅となるように形成されており、半導体装置３の第２の電極３ｂや第２のパッド部Ｐ２に対して同じ幅、もしくは少し狭くなるように形成されている。なお、本実施形態では第１，第２の接合部材２１ａ，２１ｂの幅Ｗ１，Ｗ２がほぼ同じ幅となるように形成されているが、これに限られることはなく、第１実施形態と同様に異なる幅となるように形成されていてもよい。
【００３６】
また、接続部材２１の応力分散部である第１の部材２１ｃは、Ｓ字クランク形状に形成されており、Ｙ軸方向と−Ｙ軸方向に向かって曲部が形成されている。なお、本実施形態の第１の部材２１ｃがＳ字クランク形状であるが、これに限られることはなく、例えば図６（ａ），（ｂ）に示すように、接合部材２２の第１の部材２２ａがＵ字形状に形成されている等、曲部を有する形状であればどのような形状であってもよい。
【００３７】
そして、図５（ｂ）に示すように、第１の部材２１ｃの厚みＴ４は、第１，第２の接合部材４ａ、４ｂの厚みＴ５，Ｔ６と同じ厚みとなるように形成されている。また、第１の部材２１ｃは、第１，第２の接合部材２１ａ，２１ｂのＹ軸方向の断面積と同じ断面積以上となるように形成されている。
【００３８】
このように、曲部を有する形状にすることにより、配線基板２や接続部材２１が熱膨張することで応力を発生させても、第１の部材２１ｃへと応力が働き、変形することで応力を吸収することが可能となる。そのため、第１，第２の接合部材２１ａ，２１ｂと第２，第３の接合材１０，１１の破断を抑制することができる。
【００３９】
また、第１の部材４ｃをＳ字クランク形状にすることにより、放熱する面積を大きくすることが可能となるため、より放熱しやすくなる。そのため、熱による膨張を抑制することができ、熱膨張により発生する応力を小さくすることができる。その結果、第１，第２の接合部材２１ａ，２１ｂと第２，第３の接合材１０，１１の破断を抑制することができる。
【００４０】
第２，第３の部材２１ｄ，２１ｅの長さＬ３，Ｌ４は、第１の部材２１ｃが配線基板２に対して略平行となるように形成されており、本実施形態では第２の部材２１ｄの長さＬ１の方が第３の部材２１ｅの長さよりも長くなるように形成されている。なお、本実施形態では第２，第３の部材２１ｄ，２１ｅの長さＬ３，Ｌ４が異なる長さとなるように形成されているが、これに限られることはなく、ほぼ同じ長さとなるように形成してもよく、また、第１の部材２１ｃが配線基板２に対して平行とならないような長さにしてもよい。
【００４１】
また、第２，第３の部材２１ｄ，２１ｅの幅Ｗ６，Ｗ７は、第１，第２の接合部材２１ａ，２１ｂと第１の部材２１ｃとに連続して接続しており、第１，第２の接合部材２１ａ，２１ｂの幅Ｗ４，Ｗ５と同じとように形成されている。そして、第２，第３の部材２１ｄ，２１ｅの厚みＴ７，Ｔ８は、第１，第２の接合部材４ａ，４ｂの厚みＴ５，Ｔ６と同じ厚みとなるように形成されている。
【００４２】
以上、第２実施形態の半導体装置の実装構造２０によれば、配線基板２の第１のパッド部Ｐ１上に第１の接合材９を介して半導体装置３を設けている。そして、接続部材２１の応力分散部である第１の部材２１ｃがＳ字クランク形状に形成されている。
【００４３】
これにより、小型化して実装することが可能となり、また応力を吸収させて破断を抑制することが可能となる。そのため、より省スペースで接続信頼性の確保が可能な半導体装置の実装をおこなうことができる。また、半導体装置３が発生する熱を接続部材２１から放熱することが出来るため、熱膨張により発生する応力を小さくすることが可能となる。
【００４４】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１，２０…半導体装置の実装構造
２…配線基板
３…半導体装置
３ａ…第１の電極
３ｂ…第２の電極
４，２１，２２…接続部材
４ａ，２１ａ…第１の接合部材
４ｂ，２１ｂ…第２の接合部材
４ｃ，２１ｃ，２２ａ…第１の部材
４ｄ，２１ｄ…第２の部材
４ｅ，２１ｅ…第３の部材
５…基材
６…絶縁層
７…配線層
８…レジスト層
９…第１の接合材
１０…第２の接合材
１１…第３の接合材
Ｐ１…第１のパッド部
Ｐ２…第２のパッド部
Ｗ１，Ｗ４…第１の接合部材の幅
Ｗ２，Ｗ５…第２の接合部材の幅
Ｗ３…第１の部材の幅
Ｔ１，Ｔ４…第１の部材の厚み
Ｔ２，Ｔ５…第１の接合部材の厚み
Ｔ３，Ｔ６…第２の接合部材の厚み
Ｔ７…第２の部材の厚み
Ｔ８…第３の部材の厚み
Ｌ１，Ｌ３…第２の部材の長さ
Ｌ２，Ｌ４…第３の部材の長さ
【図１】
2012212713.tif 000003
【図２】
2012212713.tif 000004
【図３】
2012212713.tif 000005
【図４】
2012212713.tif 000006
【図５】
2012212713.tif 000007
【図６】
2012212713.tif 000008